(57)【特許請求の範囲】
【請求項１】
掃除機本体の集塵部の上方を覆う外壁の表裏両面に線状模様の凹凸部を形成し、かつ前記外壁が均等な肉厚となるよう構成したことを特徴とする電気掃除機。
【請求項２】
線状模様の凹凸部を菱形状に形成したことを特徴とする請求項１に記載の電気掃除機。
【請求項３】
凹凸の無い面を有する集塵部の上方を覆う外壁の中央部の前後に渡って線状模様の凹凸部を形成したことを特徴とする請求項１または２に記載の電気掃除機。
【請求項４】
線状模様の凹凸部に凸文字形状を設けたことを特徴とする請求項１〜３のいずれか１項に記載の電気掃除機。
【請求項５】
集塵部の上方を覆う外壁をＡＢＳ樹脂にて形成したことを特徴とする請求項１〜４のいずれか１項に記載の電気掃除機。
【請求項６】
集塵部の上方を覆う外壁に塗装を施したことを特徴とする請求項１〜５のいずれか１項に記載の電気掃除機。
【発明の詳細な説明】
【技術分野】
【０００１】
本発明は、電気掃除機に関するもので、特に、電気掃除機の主に集塵部を覆う外壁に関するものである。
【背景技術】
【０００２】
従来のこの種の電気掃除機について図９、図１０を用いて説明する。図９は、従来の電気掃除機の掃除機本体の平面図、図１０は、図９のＢ―Ｂ断面図である。
【０００３】
図９、１０に示すように、従来の電気掃除機においては、掃除機本体１９の集塵室蓋２０を透明あるいは半透明材料で形成し、その集塵室蓋２０の裏面に、略波形状の連続した凹凸形状２１を設けたもので、それにより集塵室蓋２０そのものの肉厚が変化し、肉厚が変化する方向に対して垂直方向の部品強度を上げることが出来、それにより掃除の際の本体の移動時に衝撃の加わりやすい前後方向での強度を上げることができる構成を具備していた（例えば、特許文献１参照）。
【先行技術文献】
【特許文献】
【０００４】
【特許文献１】特開２００５−１３７５５４号公報
【発明の概要】
【発明が解決しようとする課題】
【０００５】
しかしながら、上記特許文献１に記載されたような従来の電気掃除機の構成では、集塵室蓋２０の片側裏面に略波形状の連続した凹凸形状２１を設けている為、集塵室蓋２０の肉厚が変化することで薄肉部分が生じ、その薄肉部分に応力集中が発生し衝撃に対する強度は低下するものであった。
【０００６】
特に、肉厚が変化する方向に対して水平方向の部品強度が低下、つまり外郭面に対し法線方向の外部からの衝撃に対する強度が低下するものであり、床面の掃除中に操作を誤って掃除機本体１９が床面に転倒した場合に集塵室蓋２０の上面が床面から衝撃力を受け、破損するといった課題があった。
【０００７】
本発明は、上記従来の課題を解決するもので、集塵室蓋が破損する恐れを防止できる電気掃除機を提供することを目的とする。
【課題を解決するための手段】
【０００８】
上記従来の課題を解決するために本発明の電気掃除機は、吸込口体が連通接続される
掃除機本体の集塵部の上方を覆う外壁の表裏両面に線状模様の凹凸部を形成し、かつ前記外壁が均等な肉厚となるよう構成したもので、集塵部の上方を覆う外壁を均等な肉厚とすることで薄肉部分に応力集中が発生するのを防止し衝撃に対する強度を向上させることができる。また、表面にも線状模様の凹凸部を形成することで透明あるいは半透明材料で形成しなくても外観を良くすることができるものである。
【発明の効果】
【０００９】
本発明の電気掃除機は、掃除中の操作で誤って掃除機本体が床面に転倒した場合においても外壁の一部である集塵室蓋が破損する恐れがなく信頼性の高い電気掃除機を提供することができる。
【図面の簡単な説明】
【００１０】
【図１】本発明の実施の形態１における電気掃除機の全体斜視図
【図２】同電気掃除機の掃除機本体の斜視図
【図３】同掃除機本体の平面図
【図４】同掃除機本体の側面図
【図５】図４のＡ―Ａ断面図
【図６】Ａ―Ａ断面図の線状模様の凹凸部を示した拡大図
【図７】同掃除機本体の集塵室蓋の表面図
【図８】同集塵室蓋の裏面図
【図９】従来の電気掃除機の掃除機本体の平面図
【図１０】図９のＢ―Ｂ断面図
【発明を実施するための形態】
【００１１】
第１の発明は、掃除機本体の集塵部の上方を覆う外壁の表裏両面に線状模様の凹凸部を形成し、かつ前記外壁が均等な肉厚となるよう構成したもので、集塵部の上方を覆う外壁を均等な肉厚とすることで薄肉部分に応力集中が発生するのを防止し、衝撃に対する強度を向上させることができる。また、表面にも線状模様の凹凸部を形成することで透明あるいは半透明材料で形成しなくても外観を良くすることができるものである。
【００１２】
第２の発明は、特に、第１の発明の線状模様の凹凸部を菱形状に形成したもので、菱形の複数の線状方向に強度を上げることができる。また、菱形の複数の線状模様によって外部照明を乱反射することが出来更に外観を良くすることができるものである。
【００１３】
第３の発明は、特に、第１または第２の発明の凹凸部の無い面を有する集塵部の上方を覆う外壁の中央部の前後に渡って線状模様の凹凸部を形成したもので、外部からの衝撃を受け易い集塵部上方を覆う外壁の中央部の強度を向上させることができるものである。
【００１４】
第４の発明は、特に、第１〜３のいずれか一つの発明の線状模様の凹凸部に凸文字形状を設けたもので、製品名やブランド名の文字などを印刷することなく安価に表示することができるものである。
【００１５】
第５の発明は、特に、第１〜４のいずれか一つの発明の集塵部の上方を覆う外壁をＡＢＳ樹脂にて形成したもので、合成樹脂材料のＡＢＳやＰＳは外観が良好で且つＰＰ樹脂等よりも剛性を有する為、集塵部上方を覆う外壁としての強度を確保することが出来、亀裂が入り割れる、傷付き等の問題を防止することができるものである。
【００１６】
第６の発明は、特に、第１〜５のいずれか一つの発明の集塵部の上方を覆う外壁に塗装を施したもので、更に掃除機本体上面の外観を良くすることができるものである。
【００１７】
以下、本発明の実施の形態について、図面を参照しながら説明する。なお、この実施の形態によってこの発明が限定されるものではない。
【００１８】
（実施の形態１）
本発明の第１の実施の形態における電気掃除機について、図１〜図８を用いて説明する。図１は、本発明の実施の形態１における電気掃除機の全体斜視図、図２は、同電気掃除機の掃除機本体の斜視図、図３は、同掃除機本体の平面図、図４は、同掃除機本体の側面図、図５は、図４のＡ―Ａ断面図、図６は、Ａ―Ａ断面図の線状模様の凹凸部を示した拡大図、図７は、同掃除機本体の集塵室蓋の表面図、図８は、同集塵室蓋の裏面図である。
【００１９】
図１〜図８において、本実施の形態における電気掃除機は、掃除機本体１と、掃除機本
体１に接続パイプ５によって連結される連結ホース２と、延長管３及び吸込口体４を有しており、吸込口体４から吸い込んだ塵埃等を連結ホース２、延長管３を介して掃除機本体１内に集めることができる。掃除機本体１の底面前部には、キャスターローラ１２が、掃除機本体１の側面の後端両側には一対の後輪１３がそれぞれ装着されており、キャスターローラ１２及び後輪１３を介して掃除機本体１を移動させることができる。掃除機本体１の後端面には、複数の開口を有する排気口部１４が形成されている。
【００２０】
また、掃除機本体１の主な外郭部品として本体下６と、掃除機本体１の集塵部１５を覆うと共に掃除機本体１の外壁の一部となる集塵室蓋７と、本体上８と把手部９を設けている。
【００２１】
また、図５に示すように集塵室蓋７の表裏両面には線状模様の凹凸部１０が形成されている。集塵室蓋７の表裏両面に略波形状の連続した凹凸形状である線状模様の凹凸部１０を形成したことにより、前記集塵部１５の上方を覆う集塵室蓋７の外壁を均等な肉厚とすることで薄肉部分に応力集中が発生するのを防止し衝撃に対する強度を向上させることができる。
【００２２】
また、本実施の形態では、集塵室蓋７の表裏両面に略波形状の連続した凹凸形状である線状模様の凹凸部１０が菱形状に形成されている。これにより、菱形の複数の線状方向に強度を上げている。
【００２３】
また、上記集塵室蓋７は、凹凸部１０の無い面を有する外壁の中央部の前後に渡って上記線状模様の凹凸部１０が形成されているが、集塵室蓋７の中央部の前後に渡って線状模様の凹凸部１０を形成したことにより、外部からの衝撃を受け易い集塵部１５の上方を覆う集塵室蓋７の外壁の中央部の強度を向上させることができる。
【００２４】
また、本実施の形態では、線状模様の凹凸部１０の面に、凸文字形状１１でブランド名（“Ｐａｎａｓｏｎｉｃ”）が形成されているが、線状模様の凹凸部１０の面に凸文字形状１１を設けたことにより、ブランド名を印刷する必要が無いので安価に表示することができる。
【００２５】
また、上記線状模様の凹凸部１０を有する集塵部１５の上方を覆う集塵室蓋７は、ＡＢＳ（アクリルニトリルブタジエンスチレン）樹脂にて形成されている。集塵室蓋７をＡＢＳ樹脂にて形成したことにより、合成樹脂材料のＡＢＳやＰＳは外観が良好で且つＰＰ（ポリプロピレン）樹脂等よりも剛性を有する為、集塵部１５の上方を覆う外壁としての強度を確保することが出来、亀裂が入り割れる、傷付き等の問題を防止することができる。
【００２６】
さらに、本実施の形態では、上記線状模様の凹凸部１０を有する集塵部１５上方を覆う集塵室蓋７には塗装が施されているが、集塵室蓋７に塗装を施したことにより、更に掃除機本体１上面の外観を良くすることができる。
【００２７】
以上のように構成された本実施の形態における電気掃除機において、その動作を説明する。
【００２８】
先ず、電気掃除機で掃除する際は、連結ホース２、延長管３及び吸込口体４を接続パイプ５によって連結された掃除機本体１が、キャスターローラ１２及び後輪１３を介して床面上を移動し、床面上の掃除を行う。
【００２９】
図５に示すように集塵室蓋７の表裏両面には線状模様の凹凸部１０が形成されている。集塵室蓋７の表裏両面に略波形状の連続した凹凸形状である線状模様の凹凸部１０を形成
したことにより、前記集塵部１５の上方を覆う集塵室蓋７の外壁を均等な肉厚とすることで薄肉部分に応力集中が発生するのを防止し、衝撃に対する強度を向上させることができる。強度の向上に伴い、掃除中の操作で誤って掃除機本体１が床面に転倒した場合においても集塵室蓋７が破損する恐れのないものである。
【００３０】
また線状模様の凹凸部１０はその模様によって外部照明を乱反射することができ、商品そのものに輝きを与え、結果、商品の展示効果が大幅に向上するとともに、使用者も高級品を有していると感じることができるものであり、集塵室蓋７の表面にも線状模様の凹凸部１０を形成することで、透明あるいは半透明材料で形成しなくても外観を良くすることができるものである。
【００３１】
また、上記集塵室蓋７の表裏両面に略波形状の連続した凹凸形状である線状模様の凹凸部１０を菱形状に形成したことにより、菱形の複数の線状方向に強度を上げることができる。また、菱形の複数の線状模様によって外部照明を乱反射することが出来、更に外観を良くすることができるものである。
【００３２】
また、上記集塵室蓋７は、凹凸の無い面を有する外壁の中央部の前後に渡って上記線状模様の凹凸部１０が形成されており、集塵室蓋７の中央部の前後に渡って線状模様の凹凸部１０を形成したことにより、掃除中の操作で誤って掃除機本体１が床面に転倒した場合に外部からの衝撃を受け易い集塵部１５上方を覆う集塵室蓋７の外壁の中央部の強度を向上させることができるものである。
【００３３】
さらに、本実施の形態では、上記線状模様の凹凸部１０の面には、凸文字形状１１でブランド名が形成されており、線状模様の凹凸部１０の面に凸文字形状１１を設けている。これにより、ブランド名を印刷することなく安価に表示することができるものである。
【００３４】
本実施の形態では、凸文字形状１１でブランド名を形成しているが、製品名や機種品番などでもよくその他の文字などを印刷することなく安価に表示することができるものである。
【００３５】
また、凸文字形状１１で形成された凸文字部分に印刷を施す場合においても凸文字形状１１の天面に印刷用のインク、箔、塗料などが印刷されることで、印刷の位置ずれ、ゆがみ、にじみ等の印刷不良を防止することができる。
【００３６】
また、上記線状模様の凹凸部１０を有する集塵部１５上方を覆う集塵室蓋７は、ＡＢＳ樹脂にて形成されている。集塵室蓋７をＡＢＳ樹脂にて形成したことにより、合成樹脂材料のＡＢＳやＰＳは外観が良好で且つ、ＡＢＳは、ＰＰ樹脂等よりも剛性を有する為、集塵部１５の上方を覆う外壁としての強度を確保することが出来、亀裂が入り割れる、傷付き等の問題を防止することができるものである。
【００３７】
本実施の形態では、集塵室蓋７をＡＢＳ樹脂にて形成しているが、ＰＳなどでもよく同様の効果を有するものである。
【００３８】
そして、上記線状模様の凹凸部１０を有する集塵部１５の上方を覆う集塵室蓋７には、塗装が施されており、集塵室蓋７に塗装を施したことにより、更に掃除機本体１上面の外観を良くすることができるものである。
【００３９】
なお、上記実施の形態においては、集塵室蓋７の表裏両面に線状模様の凹凸部１０を形成しているが、外郭を構成するその他の本体下６や本体上８の部品に対しても同様に表裏両面に線状模様の凹凸部１０を形成してもよい。
【産業上の利用可能性】
【００４０】
以上のように、本発明にかかる電気掃除機は、掃除中の操作で誤って掃除機本体が床面に転倒した場合においても集塵室蓋が破損する恐れのないもので、家庭用、業務用の各種電気掃除機を適用できるものである。
【符号の説明】
【００４１】
１  掃除機本体
２  連結ホース
３  延長管
４  吸込口体
６  本体下
７  集塵室蓋（外壁）
８  本体上
１０  凹凸部
１１  凸文字形状
１５  集塵部
【図１】
0006450929.tif 000002
【図２】
0006450929.tif 000003
【図３】
0006450929.tif 000004
【図４】
0006450929.tif 000005
【図５】
0006450929.tif 000006
【図６】
0006450929.tif 000007
【図７】
0006450929.tif 000008
【図８】
0006450929.tif 000009
【図９】
0006450929.tif 000010
【図１０】
0006450929.tif 000011